【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
複数の金属細線からなる配線部を有する導電性部材であって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記導電性部材は、表示装置の表示ユニット上に設置されるものであり、
前記配線パターンは、前記表示ユニットの画素配列パターンに重畳されており、
前記各方向非等ピッチの配線パターンにおけるモアレ評価値は、前記各方向非等ピッチの配線パターンと、それぞれの直線配線の方向が同じであり、且つ、単位面積当たりの配線密度も等しい第１の全方向等ピッチの配線パターンにおけるモアレ評価値より小さく、又は前記各方向非等ピッチの配線パターンと、それぞれの直線配線の方向は異なるが方向の数は同じであり、且つ、単位面積当たりの配線密度も等しい第２の全方向等ピッチの配線パターンにおけるモアレ評価値より小さく、
前記モアレ評価値は、前記配線パターンの透過率の２次元フーリエ周波数分布の各周波数成分と、前記画素配列パターンの輝度又は透過率の２次元フーリエ周波数分布の各周波数成分とから算出されるモアレの各周波数成分に、人間の視覚応答特性を作用させて得られたモアレの各周波数成分の強度の総和である導電性部材。
【請求項２】
前記視覚応答特性は、下記式（１）で表される視覚伝達関数ＶＴＦで与えられる請求項１に記載の導電性部材。
ｋ≦ｌｏｇ（０．２３８／０．１３８）／０．１
ＶＴＦ＝１
ｋ＞ｌｏｇ（０．２３８／０．１３８）／０．１
ＶＴＦ＝５．０５ｅ−０．１３８ｋ（１−ｅ０．１ｋ）              …（１）
ｋ＝πｄｕ／１８０
ここで、ｌｏｇは自然対数であり、ｋは、立体角で定義される空間周波数（ｃｙｃｌｅ／ｄｅｇ）であり、ｕは、長さで定義される空間周波数（ｃｙｃｌｅ／ｍｍ）であり、ｄは、１００ｍｍ〜１０００ｍｍの範囲内の観察距離（ｍｍ）である。
【請求項３】
前記視覚応答特性の観察距離は３００ｍｍ〜８００ｍｍの何れかの距離である請求項１、又は２に記載の導電性部材。
【請求項４】
前記モアレ評価値をＩとする時、前記モアレ評価値Ｉは、前記モアレの各周波数成分の強度から下記式（２）により導出されるものである請求項１〜３のいずれか１項に記載の導電性部材。
Ｉ＝（Σ（Ｒ［ｉ］）ｘ）１／ｘ                                …（２）
ここで、Ｒ［ｉ］は、モアレのｉ番目の周波数成分の強度であり、次数ｘは、１〜４の何れかの値である。
【請求項５】
前記次数ｘは、２である請求項４に記載の導電性部材。
【請求項６】
前記モアレ評価値は、前記モアレの各周波数成分の強度の非線形和により導出されるものである請求項１〜５のいずれか１項に記載の導電性部材。
【請求項７】
前記モアレ評価値は、前記画素配列パターンの周波数０と前記配線パターンの各周波数成分とから算出される前記モアレの周波数成分をも含む請求項１〜６のいずれか１項に記載の導電性部材。
【請求項８】
複数の金属細線からなる配線部を有する導電性部材であって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記導電性部材は、表示装置の表示ユニット上に設置されるものであり、
前記配線パターンは、前記表示ユニットの画素配列パターンに重畳されており、
前記各方向非等ピッチの配線パターンにおいてモアレに寄与が最も大きい前記モアレの周波数成分の強度は、
前記各方向非等ピッチの配線パターンと、それぞれの直線配線の方向が同じであり、且つ、単位面積当たりの配線密度も等しい第１の全方向等ピッチの配線パターン、又は、
前記各方向非等ピッチの配線パターンと、それぞれの直線配線の方向は異なるが方向の数は同じであり、且つ、単位面積当たりの配線密度も等しい第２の全方向等ピッチの配線パターンにおいてモアレに寄与が最も大きい前記モアレの周波数成分の強度より小さい導電性部材。
【請求項９】
複数の金属細線からなる配線部を有する導電性部材であって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記導電性部材は、表示装置の表示ユニット上に設置されるものであり、
前記配線パターンは、前記表示ユニットの画素配列パターンに重畳されており、
前記各方向非等ピッチの配線パターンにおいてモアレに寄与が最も大きい前記モアレの周波数成分の周波数は、
前記各方向非等ピッチの配線パターンと、それぞれの直線配線の方向が同じであり、且つ、単位面積当たりの配線密度も等しい第１の全方向等ピッチの配線パターン、又は、
前記各方向非等ピッチの配線パターンと、それぞれの直線配線の方向は異なるが方向の数は同じであり、且つ、単位面積当たりの配線密度も等しい第２の全方向等ピッチの配線パターンにおいてモアレに寄与が最も大きい前記モアレの周波数成分の周波数より大きい導電性部材。
【請求項１０】
複数の金属細線からなる配線部を有する導電性部材であって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記導電性部材は、表示装置の表示ユニット上に設置されるものであり、
前記配線パターンは、前記表示ユニットの画素配列パターンに重畳されており、
前記各方向非等ピッチの配線パターンにおけるモアレ評価値は、
前記各方向非等ピッチの配線パターンと、それぞれの直線配線の方向が同じであり、且つ、単位面積当たりの配線密度も等しい第１の全方向等ピッチの配線パターン、又は、
前記各方向非等ピッチの配線パターンと、それぞれの直線配線の方向は異なるが方向の数は同じであり、且つ、単位面積当たりの配線密度も等しい第２の全方向等ピッチの配線パターンにおけるモアレ評価値より小さく、
前記モアレ評価値は、前記配線パターンの透過率の２次元フーリエ周波数分布の各周波数成分と、前記画素配列パターンの輝度又は透過率の２次元フーリエ周波数分布の各周波数成分とから算出されるモアレの各周波数成分に、人間の視覚応答特性を作用させて得られたモアレの各周波数成分の内、前記全方向等ピッチの配線パターンにおいてモアレに寄与が最も大きい前記モアレの周波数成分の周波数以下における周波数成分の強度の総和である導電性部材。
【請求項１１】
複数の金属細線からなる配線部を有する導電性部材であって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記導電性部材は、表示装置の表示ユニット上に設置されるものであり、
前記配線パターンは、前記表示ユニットの画素配列パターンに重畳されており、
前記各方向非等ピッチの配線パターンと、それぞれの直線配線の方向が同じであり、且つ、単位面積当たりの配線密度も等しい第１の全方向等ピッチの配線パターン、又は、
前記各方向非等ピッチの配線パターンと、それぞれの直線配線の方向は異なるが方向の数は同じであり、且つ、単位面積当たりの配線密度も等しい第２の全方向等ピッチの配線パターンにおいてモアレに寄与が最も大きい前記モアレの周波数成分の周波数において、前記各方向非等ピッチの配線パターンの前記モアレの周波数成分の強度は、前記全方向等ピッチの配線パターンの前記モアレの周波数成分の強度より小さい導電性部材。
【請求項１２】
前記画素配列パターンは、ブラックマトリックスパターンである請求項１〜１１のいずれか１項に記載の導電性部材。
【請求項１３】
複数の金属細線からなる配線部を有する導電性部材であって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記各方向非等ピッチの配線パターンは、少なくとも１方向の前記直線配線において、所定本数の前記金属細線の繰返しピッチは等ピッチであり、前記所定本数のそれぞれの金属細線のピッチは非等ピッチである導電性部材。
【請求項１４】
２方向以上の前記直線配線の内、平均のピッチが最も狭い方向の直線配線において、所定本数の前記金属細線の繰返しピッチは等ピッチであり、前記所定本数のそれぞれの前記金属細線のピッチは非等ピッチである請求項１３に記載の導電性部材。
【請求項１５】
前記所定本数は、１６本以下である請求項１３、又は１４に記載の導電性部材。
【請求項１６】
前記配線部は、前記直線配線を２方向に重畳した配線パターンを有する請求項１〜１５のいずれか１項に記載の導電性部材。
【請求項１７】
前記直線配線を２方向に重畳した配線パターンは、左右非対称である請求項１６に記載の導電性部材。
【請求項１８】
前記２方向の前記直線配線の成す角度は、４０度〜１４０度である請求項１６、又は１７に記載の導電性部材。
【請求項１９】
前記２方向以上に重畳した前記直線配線の内、少なくとも１方向の直線配線における平均のピッチは、３０μｍ〜６００μｍである請求項１〜１８のいずれか１項に記載の導電性部材。
【請求項２０】
前記平均のピッチは、３００μｍ以下である請求項１９に記載の導電性部材。
【請求項２１】
透明基体と、該透明基体の少なくとも一方の面に形成され、複数の金属細線からなる配線部と、を有する導電性フィルムであって、
前記配線部は、１方向において平行に配列される複数の金属細線からなる直線配線を２方向以上に重畳した配線パターンを有し、
前記配線パターンは、少なくとも１方向の前記直線配線における平均のピッチが、他の少なくとも１方向の直線配線における平均のピッチと異なる各方向非等ピッチの配線パターンであり、
前記導電性部材は、表示装置の表示ユニット上に設置されるものであり、
前記配線パターンは、前記表示ユニットの画素配列パターンに重畳されており、
前記各方向非等ピッチの配線パターンにおけるモアレ評価値は、前記各方向非等ピッチの配線パターンと、それぞれの直線配線の方向が同じであり、且つ、単位面積当たりの配線密度も等しい第１の全方向等ピッチの配線パターンにおけるモアレ評価値、又は前記各方向非等ピッチの配線パターンと、それぞれの直線配線の方向は異なるが方向の数は同じであり、且つ、単位面積当たりの配線密度も等しい第２の全方向等ピッチの配線パターンにおけるモアレ評価値より小さく、
前記モアレ評価値は、前記配線パターンの透過率の２次元フーリエ周波数分布の各周波数成分と、前記画素配列パターンの輝度又は透過率の２次元フーリエ周波数分布の各周波数成分とから算出されるモアレの各周波数成分に、人間の視覚応答特性を作用させて得られたモアレの各周波数成分の強度の総和である導電性フィルム。
【請求項２２】
所定の画素配列パターンで配列されてなる表示ユニットと、
この表示ユニットの上に設置される、請求項１〜２０のいずれか１項に記載の導電性部材、又は請求項２１に記載の導電性フィルムと、を備える表示装置。
【請求項２３】
前記表示ユニットは、有機ＥＬディスプレイ（ＯＥＬＤ）であり、赤色（Ｒ）、緑色（Ｇ）、及び青色（Ｂ）の内、少なくとも２つの色について前記画素配列パターンが異なる請求項２２に記載の表示装置。
【請求項２４】
請求項１〜２０のいずれか１項に記載の導電性部材、又は請求項２１に記載の導電性フィルムを用いたタッチパネル。
【請求項２５】
表示装置の表示ユニット上に設置され、複数の金属細線からなる配線部を有し、前記配線部は、１方向において平行に配列される複数の金属細線からなる直線配線を２方向以上に重畳した配線パターンを有する導電性部材の配線パターンの作製方法であって、
前記配線パターンは、前記表示ユニットの画素配列パターンに重畳されており、少なくとも１方向の前記直線配線における平均のピッチが、他の少なくとも１方向の直線配線における平均のピッチと異なる各方向非等ピッチの配線パターンであり、
前記配線パターンの透過率、及び前記画素配列パターンの輝度又は透過率を取得し、
前記配線パターンの透過率の２次元フーリエ周波数分布、及び前記画素配列パターンの輝度又は透過率の２次元フーリエ周波数分布を導出し、
前記配線パターンの透過率の２次元フーリエ周波数分布の各周波数成分と、前記画素配列パターンの輝度又は透過率の２次元フーリエ周波数分布の各周波数成分とからモアレの各周波数成分を算出し、
こうして算出された前記モアレの各周波数成分に人間の視覚応答特性を作用させて、各周波数成分の強度の総和であるモアレ評価値を求め、
こうして求められた前記各方向非等ピッチの配線パターンにおける前記モアレ評価値が、前記各方向非等ピッチの配線パターンと、それぞれの直線配線の方向が同じであり、且つ、単位面積当たりの配線密度も等しい第１の全方向等ピッチの配線パターン、又は、前記各方向非等ピッチの配線パターンと、それぞれの直線配線の方向は異なるが方向の数は同じであり、且つ、単位面積当たりの配線密度も等しい第２の全方向等ピッチの配線パターンにおけるモアレ評価値より小さい、前記各方向非等ピッチの配線パターンを作製する導電性部材の配線パターンの作製方法。
【請求項２６】
表示装置の表示ユニット上に設置され、透明基体と、該透明基体の少なくとも一方の面に形成され、複数の金属細線からなる配線部とを有し、前記配線部は、１方向において平行に配列される複数の金属細線からなる直線配線を２方向以上に重畳した配線パターンを有する導電性フィルムの配線パターンの作製方法であって、
前記配線パターンは、前記表示ユニットの画素配列パターンに重畳されており、少なくとも１方向の前記直線配線における平均のピッチが、他の少なくとも１方向の直線配線における平均のピッチと異なる各方向非等ピッチの配線パターンであり、
前記配線パターンの透過率、及び前記画素配列パターンの輝度又は透過率を取得し、
前記配線パターンの透過率の２次元フーリエ周波数分布、及び前記画素配列パターンの輝度又は透過率の２次元フーリエ周波数分布を導出し、
前記配線パターンの透過率の２次元フーリエ周波数分布の各周波数成分と、前記画素配列パターンの輝度又は透過率の２次元フーリエ周波数分布の各周波数成分とからモアレの各周波数成分を算出し、
こうして算出された前記モアレの各周波数成分に人間の視覚応答特性を作用させて、各周波数成分の強度の総和であるモアレ評価値を求め、
こうして求められた前記各方向非等ピッチの配線パターンにおける前記モアレ評価値が、前記各方向非等ピッチの配線パターンと、それぞれの直線配線の方向が同じであり、且つ、単位面積当たりの配線密度も等しい第１の全方向等ピッチの配線パターン、又は、前記各方向非等ピッチの配線パターンと、それぞれの直線配線の方向は異なるが方向の数は同じであり、且つ、単位面積当たりの配線密度も等しい第２の全方向等ピッチの配線パターンにおけるモアレ評価値より小さい、前記各方向非等ピッチの配線パターンを作製する導電性フィルムの配線パターンの作製方法。